(57)【特許請求の範囲】
【請求項１】
電球のソケットに残った口金を取り外す口金取外し装置において、上記口金の中に挿入する少なくとも一対の爪部と、この爪部に対して上記口金の内壁を外周方向へ圧接する力を付与するばね手段と、上記爪部に回転力を付与する回転手段とを備えたことを特徴とする口金取外し装置。
【請求項２】
請求項１記載のものにおいて、上記ばね手段に抗して上記爪部を互いに近接した状態に釈放可能に保持するばね規制具を設けたことを特徴とする口金取外し装置。
【請求項３】
請求項１記載のものにおいて、上記爪部は、上記口金の内壁に喰い込ませるようにその先端を鋭利に形成したことを特徴とする口金取外し装置。
【請求項４】
請求項１記載のものにおいて、上記一対の爪部は、上記口金内への挿入方向の軸長を互いに異ならせて形成したことを特徴とする口金取外し装置。
【請求項５】
請求項１記載のものにおいて、上記爪部をそれぞれ先端部に設けた腕部を有し、この腕部間にねじれ防止板を設けたことを特徴とする口金取外し装置。
【請求項６】
請求項１〜５のいずれかに記載のものにおいて、上記爪部間のほぼ中央位置を含む直線上に延設される第１の軸と、この第１の軸の延設方向と略平行に延設される第２の軸と、上記第１の軸と上記第２の軸とを支持する長尺体と、上記第１の軸、上記第２の軸にそれぞれ同軸に取付けられる第１のプーリ、第２のプーリと、これらの第１のプーリ、第２のプーリ間に巻回される索状体とを含む回転手段に、脱着可能なことを特徴とする口金取外し装置。
【発明の詳細な説明】
【０００１】
【発明の属する技術分野】
本発明は、電球の口金を取り外す口金取外し装置に関する。
【０００２】
【従来の技術】
一般に、電球点灯時の発熱によって電球ガラス部と口金部の接着剤が熱劣化し、電球取外し時にガラス部のみが外れてソケット内に電球の口金が残ったり、作業者の不注意等で電球を破裂させてしまったりしたとき、新しい電球を取付けるためにこの口金を取り除く必要があった。
【０００３】
従来におけるこの取外し作業に用いる取外し装置は、実開昭６１−３８７６３号公報に記載されており、この一部断面図を図７に示している。
【０００４】
操作部１の先端側に、電球の口金内に嵌合する形に整形した弾性体２をビス３によって固定し、一方、操作部１の下部に嵌入孔部１ａを形成し、この嵌入孔部１ａ内に多段に伸縮自在な棒状体からなる操作補助具４を挿入した後、回り止めピン５を差し込んで操作補助具４の回転操作力を操作部１に確実に伝えるようにすると共に、締付けボルト６によって操作補助具４を操作部１に取り外し可能に連結している。このように構成した口金取外し装置は、図示しないソケット内に残っている口金に弾性体２を挿入して押し付けて弾性体２と口金とを一体にし、その後、操作部１を回転して弾性体２を介して口金を回転させて取り外すようにしていた。
【０００５】
【発明が解決しようとする課題】
しかしながら、従来の口金取外し装置は、口金に弾性体２を挿入して押し付けて弾性体２と口金とを一体にするために、弾性体２の挿入方向に力を加えて弾性体２をしっかりと口金内周面にねじ込まなければならず、そのねじ込みが不十分であると弾性体２と口金内周面との間に滑りが生じ、その取り外しができないという作業性の面での不都合があった。
【０００６】
本発明の目的は、容易に口金を取り外すことができるようにした口金取外し装置を提供することにある。
【０００７】
【課題を解決するための手段】
本発明は上記目的を達成するために、電球のソケットに残った口金を取り外す口金取外し装置において、上記口金の中に挿入する少なくとも一対の爪部と、この爪部に対して上記口金の内壁を外周方向へ圧接する力を付与するばね手段と、上記爪部に回転力を付与する回転手段とを備えたことを特徴とする。
【０００８】
本発明による口金取外し装置は、少なくとも一対の爪部をばね手段によって口金の内壁に外周方向への力を加えて圧接し、回転手段によって爪部に回転を加えて口金を回して外すようにしたため、従来のように口金取外し作業時に、ソケットに残った口金内へ挿入方向へ弾性体を強くねじ込む必要がないため、場所や高さ位置などの制約を受けることなく作業性良く容易に口金の取外し作業を行なうことができる。
【０００９】
【発明の実施の形態】
以下、本発明の実施の形態を図面に基づいて説明する。
【００１０】
図１および図２は、本発明の一実施の形態による口金取外し装置の要部を示す平面図および側面図である。
【００１１】
口金取外し装置１０は、後述する口金９の内壁と当接する爪部１１ａ，１２ａをそれぞれ先端部に有する略Ｕ字状の腕部１１，１２の中間部間にピン１３を連結し、このピン１３をばね１４の中心部内に挿入して、ばね１４によって爪部１１ａ，１２ａ間に互いに開離する方向の力を与えると共に、ピン１３によってばね１４の位置ずれを防止している。腕部１１，１２の爪部１１ａ，１２ａと反対側端部には、後述する回転手段３０と接続するための貫通穴１５ａを有する接続部１５があり、この接続部１５はリベット１６によって腕部１２の折り曲げ部に連結固定されている。
【００１２】
爪部１１ａ，１２ａは、拡大正面図である図３に示すように口金９内に効果的に圧接するように口金９より堅い材質で作成されている。また爪部１１ａ，１２ａの先端は鋭利に形成されており、この爪部１１ａ，１２ａがばね１４の力を受けて口金９の内壁に喰い込み、後述するように口金７の回転が可能となる。さらに、この口金９の内壁は凹凸が存在するため、爪部１１ａ，１２ａの軸方向長を互いに異なるように形成すると、確実に口金９の内壁の凹部に圧接させることができる。
【００１３】
ばね１４によって両腕部１１，１２には捻れが加わるが、一方の腕部１２の中間部には、一対のねじれ防止板１７ａ，１７ｂがボルトなどによって固定され、この一対のねじれ防止板１７ａ，１７ｂ間に他方の腕部１１を位置させることにより両腕部１１，１２の捻れを防止している。また同様の目的で、両腕部１１，１２の外側には補強用のリブ１８ａ，１８ｂをそれぞれ設け、両爪部１１ａ，１２ａの対向側には補強用の当て板１９ａ，１９ｂをそれぞれ設け、また両腕部１１，１２の折り曲げ部近傍にも補強用の当て金２０ａ，２０ｂをそれぞれ設けている。
【００１４】
両リブ１８ａ，１８ｂの同位置にはそれぞれ貫通穴２１が形成され、リブ１８ｂの貫通穴にはばね規制具２２の一端２２ａが挿入されている。この一端２２ａにはねじ部が形成されており、リブ１８ｂから導出したこのねじ部にナット２３を螺合して抜け止めしている。このばね規制具２２は、図４に示したように一端２２ａを他端２２ｂよりも長くして略Ｕ字状に構成しており、リブ１８ａの貫通孔２１にはばね規制具２２の他端２２ｂが挿入可能となっている。ばね１４に抗して両腕部１１，１２を互いに近接させた後、ばね規制具２２の他端２２ｂを貫通孔２１に挿入すると、両腕部１１，１２は同状態を保持する。このばね規制具２２の中間部にはロープ状部材２４が連結されており、このロープ状部材２４を引くことにより他端２２ｂを貫通孔２１から抜き出し、ばね１４によって両腕部１１，１２間が所定の開離状態になるようにしている。
【００１５】
次に、上述した口金取外し装置２０を用いて電球を破裂させてしまった口金９の除去作業について説明する。
【００１６】
先ず、図５に示すように口金取外し装置２０に回転手段３０を連結する。この回転手段３０は、作業者が把持する長尺体３４の上下部に第１の軸すなわち回転軸３７、第２の軸すなわち回転軸３８を可回転的に設け、これらの回転軸３７，３８に索状体３３によって連結した第１のプーリ３５、第２のプーリ３６をそれぞれ回転軸３７，３８と同軸に取り付けて構成している。回転軸３７は爪部１１ａ，１２ａ間の略中央位置を含む直線上に延設され、回転軸３８は回転軸３７と略平行に延設されている。回転軸３７の先端部には図１に示した口金取外し装置２０の接続部１５に連結する装着部３１を備えており、また長尺体３４には索状体３３の張力を調整できるように軸長を可変できる調整機構を構成しておくのが望ましい。口金取外し装置２０と回転手段３０の連結は、接続部１５に形成した貫通穴１５ａと、回転手段３０の装着部３１に形成したばね孔の位置を相対させ、長ねじ３２で螺着することにより行なっている。
【００１７】
このとき、口金取外し装置２０は、リブ１８ｂの貫通孔にばね規制具２２の一端２２ａを挿入し、その端部に形成したねじ部にナット２３を螺合する。次に、ばね１４に抗して腕部１１，１２間を接近する方向に縮めた状態にし、ばね規制具２２の他端２２ｂをリブ１８ａの貫通穴２１に挿入して腕部１１，１２の同状態を保持する。
【００１８】
この状態で、図５に示すように爪部１１ａ，１２ａをソケット２５に残った口金９の中に挿入した後、ロープ状部材２４を引くとばね規制具２２の他端２２ｂがリブ１８ａの貫通穴２１から抜け、ばね１４によって腕部１１，１２間が広がり、図３および図６に示すように爪部１１ａ，１２ａがばね１４によって口金９の内壁にしっかりと圧接される。貫通穴２１から他端２２ｂが抜けたばね規制具２２は、一端２２ａがナット２３によってリブ１８ｂに保持されているので口金取外し装置２０から脱落することはない。
【００１９】
その後、作業者は回転手段３０の長尺体３４を把持しながら、図６に示した回転手段３０の索状体３３を介してプーリ３５，３６を所定方向に回転すると、口金７の内壁を外周方向へ押圧しながら圧接した爪部１１ａ，１２ａを介して口金７を回転させてソケット２５から安全に取り外すことができる。
【００２０】
このとき爪部１１ａ，１２ａは、要部拡大図である図３に示すように口金９内に効果的に圧接すると共に、その先端を鋭利に形成しているため、この爪部１１ａ，１２ａがばね１４の力を受けて口金９の内壁に喰い込み、容易に口金７をソケット２５から回転して取り外すことが可能である。さらに、腕部１１，１２はリブ１８ａ，１８ｂによって補強され、爪部１１ａ，１２ａは当て板１９ａ，１９ｂによって補強され、また両腕部１１，１２間にねじれ防止板１７ａ，１７ｂを設けているため、口金９の内壁に圧接した爪部１１ａ，１２ａにばね１４の力や、回転手段３０からの回転力を加えても、それによって塑性変形することはない。この補強に関しては種々の構成を採用することができる。
【００２１】
上述したように口金取外し装置２０は、少なくとも一対の爪部１１ａ，１２ａをばね１４によって口金９の内壁に外周方向への力を加えてしっかりと圧接するようにしたため、従来のように口金取外し作業時に、ソケット２５に残った口金９内へ挿入方向へ弾性体を強くねじ込む必要がないため、場所や高さ位置などの制約を受けることなく作業性良く容易に口金９の取外し作業を行なうことができる。
【００２２】
尚、上述した実施の形態では、回転手段３０として作業者が手で長尺体３３を操作して爪部１１ａ，１２ａに回転力を与えるようにしたが、電動の回転手段を用いてもよい。また爪部１１ａ，１２ａに口金９の内面への押圧力を付与するばね１４は腕部１１，１２間に配置したが、これに限らず口金９の内面への押圧力を付与する構成のばね手段であればよい。
【００２３】
【発明の効果】
以上説明したように本発明の口金取外し装置は、少なくとも一対の爪部をばねによって口金の内壁に外周方向への力を加えて圧接し、回転手段によって爪部に回転を加えて口金を回して外すようにしたため、従来のように口金取外し作業時に、ソケットに残った口金内へ挿入方向へ弾性体を強くねじ込む必要がないため、場所や高さ位置などの制約を受けることなく作業性良く容易に口金の取外し作業を行なうことができる。
【図面の簡単な説明】
【図１】本発明の一実施の形態による口金取外し装置を示す正面図である。
【図２】図１に示した口金取外し装置の平面図である。
【図３】図１に示した口金取外し装置の要部拡大図である。
【図４】図１に示した口金取外し装置の他の要部拡大図である。
【図５】図１に示した口金取外し装置による口金取り外し作業状態を示す正面図である。
【図６】図１に示した口金取外し装置による口金取り外し作業の他の状態を示す正面図である。
【図７】従来の口金取外し装置を示す正面図である。
【符号の説明】
９  口金
１１，１２  腕部
１１ａ，１２ａ  爪部
１４  ばね
１８ａ，１８ｂ  ねじれ防止板
２０  口金取外し装置
２２  ばね規制具
２５  ソケット
３０  回転手段
３１  装着部
３３  索状体
３４  長尺体
３５  第１のプーリ
３６  第２のプーリ
３７  回転軸（第１の軸）
３８  回転軸（第２の軸）
【図１】
0003594907.tif 000002
【図２】
0003594907.tif 000003
【図３】
0003594907.tif 000004
【図４】
0003594907.tif 000005
【図５】
0003594907.tif 000006
【図６】
0003594907.tif 000007
【図７】
0003594907.tif 000008